(57)【要約】      （修正有）【課題】歯科用インプラントと共に使用するための歯科用スーパーストラクチャ取付けシステムを提供する。【解決手段】システムは、少なくとも部分的に湾曲した界面領域を介してインプラントまたはインプラント接続部材１０１と接続可能である長手方向部材１０２を備える。長手方向部材は、舌方向部を形成する主部材と、頬側または唇側部を形成するレバー部材とを備え、前記インプラントまたはインプラント接続部材に固定されるように前記レバー部材と前記主部材を互いに押し離すための手段をさらに備える。システムは、歯科用スーパーストラクチャに取り付けるためのケーシング２００をさらに備え、前記ケーシングは、長手方向部材を収容するためのキャビティ２０１を備え、前記レバー部材と前記主部材を互いに押し離すとき長手方向部材が前記キャビティ内で固定される。システムを介して歯科用スーパーストラクチャを歯科用インプラントに取り付ける。【選択図】図３
2014014682.tif 000002
【特許請求の範囲】
【請求項１】
歯科用インプラントと共に使用するための歯科用スーパーストラクチャ取付けシステムであって、
（ｉ）前記システムは、
長手方向部材（１０２）の近位端で少なくとも部分的に湾曲した界面領域（１０６）を介してインプラントまたはインプラント接続部材（１０１）と接続可能である長手方向部材（１０２）を備え、
前記長手方向部材（１０２）は、
主部材（１０２ａ）と、
レバー部材（１０２ｂ）と、
前記長手方向部材（１０２）が前記インプラントまたはインプラント接続部材（１０１）に固定されるように前記レバー部材（１０２ｂ）と前記主部材（１０２ａ）を互いに押し離すための手段（１０３）と、
を備え、
（ｉｉ）前記システムは、
ケーシング（２００）の外側表面上で、歯科用スーパーストラクチャに取り付けるためのケーシング（２００）をさらに備え、
前記ケーシング（２００）は、
前記長手方向部材（１０２）を収容するためのキャビティ（２０１）を備え、前記レバー部材（１０２ｂ）と前記主部材（１０２ａ）を互いに押し離すとき前記長手方向部材（１０２）が前記キャビティ（２０１）内で固定される、システム。
【請求項２】
インプラント接続部材（１０１）をさらに備え、
前記長手方向部材（１０２）の近位端が、部分的に球形の凹部（１０４ａ、１０４ｂ）を備え、
前記インプラント接続部材（１０１）の遠位端が、部分的に球形の突起（１１０）を備える、請求項１に記載のシステム。
【請求項３】
前記長手方向部材（１０２）が、円形の断面を有する、請求項１または２に記載のシステム。
【請求項４】
前記長手方向部材（１０２）が、前記長手方向部材（１０２）の近位端と遠位端の間に配置されたフランジ（１０７）を備え、
前記ケーシング（２００）が、前記キャビティ（２０１）の近位端開口（２０４）に、前記フランジ（１０７）に対応するレッジ（２０５）を備え、前記レバー部材（１０２ｂ）のための枢動点が、フランジ（１０７）とレッジ（２０５）の間の界面表面に形成される、請求項３に記載のシステム。
【請求項５】
前記主部材（１０２ａ）と前記レバー部材（１０２ｂ）の間の長手方向界面の第１の部分が、前記長手方向部材（１０２）の長手方向軸に対して角度付けられる、請求項１〜４のいずれか一項に記載のシステム。
【請求項６】
前記主部材（１０２ａ）と前記レバー部材（１０２ｂ）の間の長手方向界面の第２の部分が、前記長手方向部材（１０２）の長手方向軸に対して平行である、請求項５に記載のシステム。
【請求項７】
前記レバー部材（１０２ｂ）と前記主部材（１０２ａ）を互いに押し離すための前記手段（１０３）が、スクリューを備え、
前記スクリューが、前記主部材（１０２ａ）の通り穴（１０３ａ）内に挿入され、前記主部材（１０２ａ）の外側に突出し前記レバー部材（１０２ｂ）を前記主部材（１０２ａ）から押し離すようにねじ山と係合し、
前記ケーシング（２００）が、その側壁（２０６）内に通り穴（２０７）を有し、
前記通り穴（２０７）が、前記キャビティ（２０１）と連通し、前記主部材（１０２ａ）の前記通り穴（１０３ａ）に位置が対応する、請求項１〜６のいずれか一項に記載のシステム。
【請求項８】
前記レバー部材（１０２ｂ）が、前記主部材（１０２ａ）の前記通り穴（１０３ａ）と軸方向で位置合わせされたねじ山付きの凹部（１０３ｂ）を備え、前記凹部（１０３ｂ）と前記通り穴（１０３ａ）が、スクリューを受容するように構成される、請求項１〜７のいずれか一項に記載のシステム。
【請求項９】
前記スクリューが、前記主部材（１０２ａ）を前記レバー部材（１０２ｂ）と接続し、前記主部材（１０２ａ）と前記レバー部材（１０２ｂ）の相対移動を可能にするように構成される、請求項８に記載のシステム。
【請求項１０】
前記通り穴（１０３ａ）のねじ山が、前記凹部（１０３ｂ）のねじ山とは反対方向のものである、請求項９に記載のシステム。
【請求項１１】
ケーシング（２００）の外側表面上で、歯科用スーパーストラクチャに取り付けるためのケーシング（２００）であって、その近位の口に、歯科用インプラントまたは歯科用インプラント接続部材（１０１）と接続可能な長手方向部材（１０２）を収容するためのキャビティ（２０１）を備えるケーシング（２００）において、
ケーシング（２００）は、円筒形の外形を有し、近位外側ショルダ（２０３）を備え、
前記キャビティ（２０１）は、形状が円筒形であり、前記長手方向部材を受容するための近位の口に近位レッジ（２０５）を備え、
ケーシング（２００）は、その側壁（２０６）内に通り穴（２０７）を有し、
前記通り穴（２０７）は、前記キャビティ（２０１）と連通することを特徴とするケーシング（２００）。
【請求項１２】
前記通り穴（２０７）は、
ケーシングが近位外側ショルダ（２０３）を有する場合には前記近位外側ショルダの遠位に配置され、および／またはケーシング（２００）が近位レッジ（２０５）を有する場合には前記近位レッジ（２０５）の遠位に配置される、請求項１１に記載のケーシング。
【請求項１３】
歯科用スーパーストラクチャを歯科用インプラントに取り付けるための方法であって、
インプラント接続部材を前記インプラントに装着するステップであって、前記インプラント接続部材が、その遠位端に少なくとも部分的に湾曲した領域を有する、ステップと、
前記インプラント接続部材の遠位端の形状と係合可能な近位端を有する長手方向部材を用意するステップであって、前記長手方向部材が主部材およびレバー部材を備える、ステップと、
前記長手方向部材を収容するためのキャビティを備えるケーシングを、歯科用スーパーストラクチャ内またはその上に配置するステップと、
前記ケーシングを前記長手方向部材上に配置するステップと、
前記レバー部材と前記主部材を互いに押し離すことによって前記ケーシングを前記長手方向部材に固定するステップと
を含む方法。
【請求項１４】
その遠位端に少なくとも部分的に湾曲した領域を有する歯科用スーパーストラクチャを歯科用インプラントに取り付けるための方法であって、
前記インプラント接続部材の遠位端の形状と係合可能な近位端を有する長手方向部材を用意するステップであって、前記長手方向部材が主部材およびレバー部材を備える、ステップと、
前記長手方向部材を収容するためのキャビティを備えるケーシングを、歯科用スーパーストラクチャ内またはその上に配置するステップと、
前記ケーシングを前記長手方向部材上に配置するステップと、
前記レバー部材と前記主部材を互いに押し離すことによって前記ケーシングを前記長手方向部材に固定するステップと
を含む方法。
【請求項１５】
前記ケーシングを前記長手方向部材に固定する前記ステップの前に、前記長手方向部材の長手方向軸を前記歯科用インプラントの長手方向軸に対して変更するステップが先行する、請求項１３または１４に記載の方法。
【発明の詳細な説明】
【技術分野】
【０００１】
本発明は、歯科用インプラントと共に使用するための歯科用スーパーストラクチャ取付けシステムに関する。より詳細には、本発明は、歯科用インプラントと歯科用スーパーストラクチャ／フレームワークとの間に配置されるシステム、その部材、およびそのようなシステムを介して歯科用スーパーストラクチャを歯科用インプラントに取り付けるための方法に関する。
【背景技術】
【０００２】
歯科用インプラントシステムの目標は、現在の口の状態にかかわらず、正常な機能、快適さ、美観、発話、および健康を患者に取り戻させることである。これらのインプラントシステムは、生体適合性チタン製の歯科用インプラントなど、歯科用インプラントを患者の下顎骨内に挿入することにより植え込むことに基づくものである。これに関して、生体適合性チタンの使用は、早くも１９５０年にはスウェーデンで開始されており、以来、さらに発展し全世界に広まっている。１９８０年代には、いくつかのインプラントシステムが世界市場に参入した。
【０００３】
歯科用補綴物を患者の顎に固定するとき、スーパーストラクチャをオッセオインテグレーテッド歯科用インプラントに取り付けることが一般に知られている。しかし、歯科用インプラントの位置および角度は、患者ごとに非常にまちまちであるため、角度付きのディスタンスの使用が一般的である。これらのディスタンスは、スクリューによりスーパーストラクチャをそのようなディスタンスに対して保持するのは困難であるため、スーパーストラクチャは、大抵、ディスタンスにセメント接合される。しかし、別個のディスタンスを使用するとき、これらのディスタンスは、歯科用インプラントの軸方向に−少なくともある程度−延在することになることが避けられない。したがって、しばしば、スーパーストラクチャをそのようなディスタンスに適用することは、非常に困難、さらには不可能である。なぜなら、スーパーストラクチャの適用には、ディスタンスを実質的に平行に配置することが必要となるからである。また、そのようなディスタンスを使用するときの装着プロセスは、必要とされる一致を見出すために非常に多数の様々なディスタンスをインプラント上でテストしなければならないため、非常に複雑かつ厄介なものである。また、ディスタンスとスーパーストラクチャの間の界面は不衛生である。
【０００４】
ＷＯ０１／７０１２７には、インプラント用のスペーサ要素を備える構成が記載されている。このスペーサインプラントは、インプラントの長手方向軸に対して固定された角度のねじ孔を有する。その結果、スーパーストラクチャを支持するように構成されたホルダを、対応する角度で前記ねじ孔内に装着することができる。したがって、この種のシステムを使用すると、スーパーストラクチャとスペーサ要素の間の接続チャネルの口を、スペーサ要素のねじ孔の角度に従って、選択の自由をもって配置することができる。
【０００５】
しかし、上述のシステムの自由度は、スペーサ要素の所定の角度に限定され、このシステムは、この構成を組み立てるために特別に適合された工具を必要とする。
【０００６】
したがって、角度付きのディスタンスの構築の改善を可能にする新規なデバイスおよび方法が求められている。
【先行技術文献】
【特許文献】
【０００７】
【特許文献１】ＷＯ０１／７０１２７
【発明の概要】
【発明が解決しようとする課題】
【０００８】
したがって、本発明は、好ましくは当技術分野における上記で特定した不完全な点および欠点の１つまたは複数を軽減し、緩和し、または解消しようとするものであり、添付の特許請求の範囲による方法およびデバイスを提供することによって少なくとも上述の問題を解決する。
【０００９】
本発明の一目的は、目に見える取付け手段なしにスーパーストラクチャを前記システムに接続することを可能にするためのシステムを提供することである。
【００１０】
本発明の他の目的は、歯科用インプラントに様々な角度で接続することができる単一のシステムを提供することである。
【００１１】
本発明の他の目的は、標準的なスクリューによりスーパーストラクチャを前記システムに接続することを可能にするためのシステムを提供することである。
【００１２】
本発明の他の目的は、システムとスーパーストラクチャ／フレームワークの間の嵌合の改善を可能にするシステムを提供することであり、また、スーパーストラクチャ／フレームワークを製造するための様々な可能な材料を可能にするシステムを提供することである。
【課題を解決するための手段】
【００１３】
本発明の一般的な解決策は、スーパーストラクチャに接続されるディスタンスを形成する２部スーパーストラクチャ取付けシステムであり、このディスタンスは、インプラントに対して角度を付けて変位可能であり、２つの部分間の相対移動によって引き起こされるクランピング効果によって前記インプラントに固定可能であり、次いで、スーパーストラクチャ／フレームワークに取り付けられるケーシングと協働する。
【００１４】
したがって、本発明の一態様では、歯科用インプラントと共に使用するための歯科用スーパーストラクチャ取付けシステムが提供され、このシステムは、少なくとも部分的に湾曲した界面領域を介してインプラントまたはインプラント接続部材と接続可能である長手方向部材を備え、前記長手方向部材は、主部材およびレバー部材を備え、前記長手方向部材は、前記長手方向部材が前記インプラントまたはインプラント接続部材に固定されるように前記レバー部材と前記主部材を互いに押し離すための手段をさらに備え、システムが、ケーシングの外側表面上で、歯科用スーパーストラクチャに取り付けるためのケーシングをさらに備え、前記ケーシングは、長手方向部材を収容するためのキャビティを備え、その結果、前記レバー部材と前記主部材を互いに押し離すとき長手方向部材が前記キャビティ内で固定される。
【００１５】
本発明の他の態様では、歯科用スーパーストラクチャを歯科用インプラントに取り付けるための方法が提供され、この方法は、インプラント接続部材を前記インプラントに装着するステップであって、前記インプラント接続部材が、その遠位端に少なくとも部分的に湾曲した領域を有する、ステップと、前記インプラント接続部材の遠位端の形状と係合可能な近位端を有する長手方向部材を用意するステップであって、前記長手方向部材が主部材およびレバー部材を備える、ステップと、歯科用スーパーストラクチャを前記長手方向部材上に配置するステップと、前記長手方向部材を収容するためのキャビティを備えるケーシングを、歯科用スーパーストラクチャ内またはその上に配置するステップと、前記レバー部材と前記主部材を互いに押し離すことによって前記ケーシングを前記長手方向部材に固定するステップとを含む。
【００１６】
本発明の他の態様では、その遠位端に少なくとも部分的に湾曲した領域を有する歯科用スーパーストラクチャを歯科用インプラントに取り付けるための方法が提供され、この方法は、前記インプラント接続部材の遠位端の形状と係合可能な近位端を有する長手方向部材を用意するステップであって、前記長手方向部材が主部材およびレバー部材を備える、ステップと、歯科用スーパーストラクチャを前記長手方向部材上に配置するステップと、前記長手方向部材を収容するためのキャビティを備えるケーシングを、歯科用スーパーストラクチャ内またはその上に配置するステップと、前記レバー部材と前記主部材を互いに押し離すことによって前記ケーシングを前記長手方向部材に固定するステップとを含む。
【００１７】
本発明の他の有利な特徴は、従属請求項に定義されている。
【図面の簡単な説明】
【００１８】
本発明がとり得るこれらの態様、および他の態様、特徴、および利点は、添付の図面を参照する、本発明の実施形態の以下の説明から、明らかにされ、解明されることになる。
【００１９】
【図１】一実施形態によるシステムの概略断面図である。
【図２】図１に示されているシステムの長手方向部材の概略断面図である。
【図３】図１および図２による長手方向部材を収容する、一実施形態によるケーシングの概略断面図である。
【図４】図３によるケーシングの概略断面図である。
【発明を実施するための形態】
【００２０】
本発明のいくつかの実施形態について、当業者が本発明を実施することができるように、以下、添付の図面を参照してより詳細に述べる。しかし、本発明は、多数の様々な形態で実施することができるので、本明細書に記載の実施形態に限定されると解釈すべきでない。それどころか、これらの実施形態は、この開示が徹底的かつ完全なものになるように、また本発明の範囲を当業者に十分に伝えるように提供されている。これらの実施形態は、本発明を限定するものではなく、本発明は、添付の特許請求の範囲によってのみ限定される。さらに、添付の図面に示されている特定の実施形態の詳細な説明に使用される用語は、本発明を限定するものではない。
【００２１】
一般に、本発明は、咬合面内にいかなる形態のスクリューチャネル口もない、歯科用スーパーストラクチャ、およびその後、前記歯科用スーパーストラクチャおよび適切な前装材料を備える歯科用補綴物を得るためのシステムおよびそのデバイスに関する。代わりにこのシステムは、舌の方向にスクリューを締めることにより、スーパーストラクチャを歯科用インプラントに確実に取り付けることができるようにする。このようにして、より美しく耐久性のある構造を得ることができる。
【００２２】
図１および図２における実施形態によれば、歯科用インプラント接続部材１０１、および長手方向部材１０２が開示されている。歯科用インプラント接続部材１０１、および長手方向部材１０２は、スーパーストラクチャ取付けシステムの一部であり、前記システムは、歯科用インプラント接続部材１０１と、長手方向部材１０２と、図３および図４によるケーシング２００とを備える。長手方向部材１０２は、下記でさらに述べる、図３および図４によるケーシング２００内に挿入されるように適合され、次いで歯科用スーパーストラクチャに接続される。長手方向部材１０２は、２つの部分、すなわち主部材１０２ａおよびレバー部材１０２ｂを備え、これらは、使用時には、対応するねじ山付きのねじ穴１０３内に配置されたスクリューによって共に保持される。これら２つの部材１０２ａ、１０２ｂは、実質的に長手方向の延長部を有し、インプラント接続部材１０１から遠位に、したがってインプラント（図示せず）が固定される下顎骨からやはり遠位に延在することが意図されている。ねじ穴１０３は、２つの部材１０２ａ、１０２ｂの長手方向の延長部に対して実質的に横断方向に延び、少なくとも部分１０２ａを通る。
【００２３】
ねじ穴１０３のねじ山は、部分１０２ａ内のねじ穴１０３ａの少なくとも一部がねじ付きであるようなものであってもよい。部分１０２ｂは、ねじ穴１０３ａ内に配置され、部分１０２ａの界面表面１０５ａから突出するスクリュー部材を受けるために、受けシート１０３ｂを備えることができる。このようにして、部分１０２ａは、スクリュー部材をねじ穴１０３内にねじ込み、受けシート１０３ｂを押すことによって部分１０２ｂから押し離すことができる。また、部分１０２ｂは、受けシート１０３ｂ内にねじ山付き部を有することができる。このようにして、スクリュー部材をねじ穴内に予め配置し、ケーシング２００の添着中に部分１０２ａ、１０２ｂを共に保持することができる。部分１０２ｂ内のねじ穴部のねじ山は、部分１０２ａのねじ穴１０３ａ内のねじ山と反対方向にねじを切ることができる。このようにして、部分１０２ａと部分１０２ｂが、ねじ穴１０３内に配置されたスクリュー部材の１回転ごとにねじ山２つ分だけ分離されるように、部分１０２ａと部分１０２ｂの間の分離作用を増幅することができる。
【００２４】
インプラント接続部材１０１および長手方向部材１０２は、湾曲した界面領域１０６で互いに接続され、ボールソケット継手を形成する。ボールソケット継手は、歯科用インプラント接続部材１０１の遠位端に配置された部分的に球形の突起１１０と、対応する反転形状を有し、前記突起１１０と係合するように構成された凹部１０４ａ、１０４ｂによって形成される。
【００２５】
図３および図４では、本発明の一実施形態によるケーシング２００が開示されている。ケーシング２００は、歯科用スーパーストラクチャ内のキャビティ内に挿入されることになる。このようにして、歯科用スーパーストラクチャは、ケーシング２００を受容するための所定のキャビティを備えることができ、このキャビティは、たとえば歯科用スーパーストラクチャを加工または成形するＣＡＤ／ＣＡＭ機器にとって既知である形状およびサイズを有する。ケーシング２００内には、長手方向部材１０２が受容されることが意図されている。このようにして、ケーシング２００は、歯科用スーパーストラクチャの材料よりひずみおよび応力に対してより耐性である材料で製造されてもよい。たとえば、ケーシング２００を、ステンレス鋼、チタン、ＣｏＣｒなどで製造し、歯科用スーパーストラクチャをプラスチックなど、より脆性の材料で製造することを可能にすることができる。ケーシング２００は実質的に円筒形であり、管状のキャビティ２０１がケーシング２００内にその近位端から延びている。ケーシング２００の遠位端は、キャビティ２０１が遠位の底部端壁２０２で終わるように閉じていることが好ましい。このキャビティは、長手方向部材１０２を受容するようにサイズおよび形状が適合される。
【００２６】
ケーシング２００は、近位外側ショルダ２０３を備える。このようにして−歯科用スーパーストラクチャはまさにこのキャビティに対応するように製造および成形されるので−歯科用スーパーストラクチャは、外側ショルダ２０３にのしかかることができ、これは、歯科用スーパーストラクチャ内にケーシングを配置および固定するのを容易にし、また、下記に従って、歯科用スーパーストラクチャが歯科用インプラントに固定された後で、１つの歯科用スーパーストラクチャ内のいくつかのキャビティ／ケーシング位置間で張力および応力を分散することになる。
【００２７】
キャビティ２０１の近位端、すなわち開口２０４には、レッジ２０５が形成される。レッジ２０５は、長手方向部材１０２のフランジ１０７に対応するようにサイズおよび形状が適合される。レッジ２０５とフランジ１０７の間の相互作用は、前記レバー部材１０２ｂのための枢動点を生み出す。ケーシング２００は長手方向部材１０２に対応する所定の形状を有するので、フランジ１０７とレッジ２０５の間の協働は、これら２つの間の移動および遊びを最小限に抑えるように、近いものであってよい。
【００２８】
ケーシング２００は、上述に従って管状の壁２０６を有する。管状の壁２０６は、通り穴２０７を備える。通り穴２０７は、前記キャビティ２０１と連通する。通り穴２０７は、前記主部材１０２ａの通り穴１０３ａに位置が対応する。また、通り穴２０７は、近位外側ショルダ２０３の遠位に、また近位のレッジ２０５の遠位に配置される。
【００２９】
次に、スーパーストラクチャ取付けシステムの機能について述べる。歯科用インプラント接続部材１０１は、歯科用インプラントと螺合可能なスクリュー１０９によって歯科用インプラントにしっかり取り付けられる。長手方向部材１０２の主部材１０２ａおよびレバー部材１０２ｂは、インプラント接続部材１０１の部分的に球形の遠位端と係合するように嵌合される。レバー部材１０２ｂと主部材１０２ａはそれらの長手方向軸に沿って密着しているため、長手方向部材１０２は、インプラント接続部材１０１と長手方向部材１０２の間の界面に形成されたボールソケット継手によりインプラント接続部材１０１の長手方向軸に対して角度を付けて変位させることができる。
【００３０】
次いで、ケーシング２００の外形に対応する予め成形されたキャビティ内にケーシング２００が挿入され、接着またはセメント接合により接着される。次いで、ケーシング２００は、そのキャビティ２０１内に長手方向部材１０２を受容する。ケーシング２００のキャビティは、長手方向部材を受容する近位の口が、レッジ２０５の形態にある、長手方向部材１０２の近位ゾーン内のフランジ１０７用のシートを備えるように成形される。フランジ１０７とケーシング２００の対応するレッジ２０５との間の協働は、主部材１０２ａとレバー部材１０２ｂの分離からの分離力の「てこ」の作用を高めることになる。なぜなら、明瞭な「てこ」の支点／枢動点がこれら２つの間の界面に形成されることになるからである。
【００３１】
ケーシング２００が長手方向部分上に摺動され、その結果長手方向部材１０２が所望の角度で位置決めされたとき、主部材１０２ａのねじ孔１０３内に挿入されたスクリューを、主部材１０２ａの外側に突出し、その結果レバー部材１０２ｂと主部材１０２ａの間の相対移動を引き起こすように締める。レバー部材１０２ｂと主部材１０２ａの間の距離が生じるにつれて、長手方向部材１０２の部分的に球形の凹部１０４ａ、１０４ｂが結果的に長手方向部材１０２をインプラント接続部材１０１に対して締め付けることになり、その結果、長手方向部材１０２がインプラント接続部材にしっかり接続される。
【００３２】
インプラント接続部材１０１に対する長手方向部材１０２の位置が固定された後で、スーパーストラクチャをシステムに取り付けることができる。スーパーストラクチャは、ケーシング２００を受容し、それにより長手方向部材１０２をも受容するための少なくとも１つの内部チャネルを備えることが好ましい。内部チャネルのそれぞれが開口によって口腔から到達可能であり、その結果、スーパーストラクチャをスクリューによってさらに固定することができることがより好ましい。したがって、この開口は、ケーシング２００の通り穴２０７、および長手方向部材１０２の主部材１０２ａのねじ穴１０３と位置合わせされる。
【００３３】
歯科用インプラント１０１は、ボルトおよびフィッティングを含む２部片であることが好ましい。ボルトは、インプラント内にしっかりねじ込むことができるように、ねじ山付き部１０９と工具受け部１０８とを有する。ボルトは、インプラント内に嵌合される前に、ボルトを締めたときフィッティングがインプラントに対して固定されるようにフィッティング内に挿入される。このために、フィッティングは、突起１１２と凹部１１１とを備え、これらは、インプラントに対してフィッティングが回転移動するのを防止するために、インプラントおよび／または患者の骨と係合する。
【００３４】
工具受け部１０８は、球形の遠位端内の円筒形または円錐形の凹部として形成され、前記凹部の長手方向軸は、インプラントの長手方向軸と位置合わせされる。したがって、この遠位端は、突起１１２／凹部１１１と一体形成された球として形成され、穿孔が上端から球を通って延びる。
【００３５】
図２を参照して、長手方向部材１０２についてより詳細に述べる。ここでは、長手方向部材１０２は、主部材１０２ａおよびレバー部材１０２ｂによって形成される。レバー部材１０２ｂが主部材１０２ａに密着しているとき、長手方向部材は、概して長手方向に延びており、３つの一般的な部分、すなわち円筒形部、フランジ、および円錐形部からなる。円筒形部は、長手方向部材１０２の遠位端に配置され、フランジ１０７から遠位に延在する。前記フランジ１０７の近位には、円錐形部が配置される。円錐形部は、インプラント接続部材１０１の遠位端に対応する湾曲を有する近位の凹部を備える。したがって、ケーシング２００は、長手方向部材１０２に対応するキャビティ２０１を備え、その結果、長手方向部材１０２は、ケーシング２００内に摺動することができる。
【００３６】
主部材１０２ａとレバー部材１０２ｂは、レバー部材１０２ｂと主部材１０２ａの間の長手方向界面を形成する表面１０５ａ、１０５ｂを介して互いに面している。表面１０５ａ、１０５ｂ間の界面の遠位部分は、長手方向部材１０２の長手方向軸と実質的に位置合わせされることが好ましく、一方、表面１０５ａ、１０５ｂ間の界面の近位部分は、長手方向部材１０２の長手方向軸に対して角度が付けられることが好ましく、その結果、部材１０２の長手方向に対して、界面表面１０５ａは、近位かつ横断方向で面する垂直面を有し、界面表面１０５ｂは、遠位かつ横断方向で面する。このようにして、ねじ穴１０３内のスクリュー部材がレバー部材１０２ｂに対して圧力をかけるのを停止するとスーパーストラクチャを遠位方向に持ち上げることができるので、ケーシング２００、したがってスーパーストラクチャを、インプラント接続部材１０１、したがってインプラントから取り外すことが容易になり得る。この位置では、長手方向部材１０２の中心軸に対して界面表面１０５ａ、１０５ｂが角度付きの配置にあるため、スーパーストラクチャを主部材１０２ａと共に持ち上げることができる。したがって、少なくとも部分的に角度付きの界面領域のこの配置は、主部材１０２ａとレバー部材１０２ｂが互いに膠着する危険性を低減することにより、これらの部材の分離を容易にする。他の実施形態では、角度付きの界面部分がより長くされる。たとえば、界面領域全体を、長手方向部材１０２の長手方向軸に対して角度付けることができる。また、表面１０５ａ、１０５ｂによって形成される界面領域は、上から見たとき、平坦であっても湾曲してもよい。
【００３７】
表面１０５ａ、１０５ｂ間の界面は、長手方向部材１０２の近位端の球形の凹部１０４ａ、１０４ｂの中央に位置する位置で終わっていることが好ましい。しかし、他の実施形態では、界面の終点は、わずかに中心外れで位置することもできる。
【００３８】
図２に示されているように、主部材１０２ａの通り穴１０３ａは、主部材１０２ａの長手方向軸に対して実質的に垂直である。レバー部材１０２ｂは、前記主部材１０２ａを通って突出するスクリューを受けるための対応するシート１０３ｂを有する。
【００３９】
他の実施形態では、ねじ穴１０３ａ、１０３ｂは異なるように配置されてもよく、次いで、係合するスクリュー部材を、対応するように適合させることができる。たとえば、ねじ穴１０３ａ、１０３ｂは、両部分１０２ａ、１０２ｂを通って延びてもよいが、部分１０２ａに対応するねじ穴部は、部分１０２ｂに対応するねじ穴部における螺合方向とは反対の螺合方向を有する。同様に、スクリュー部材は、ねじ穴１０３内のスクリュー部材に対するねじ込み作用により分離効果が高まるように、対応するねじ山を有することができる。したがって、スクリュー部材の１回転は、ねじ山２つに対応する部分１０２ａ、１０２ｂの分離を引き起こすことになる。
【００４０】
他の実施形態では、ねじ穴１０３ａ、１０３ｂは、通り穴１０３ａの口がわずかに遠位に向くように、異なる角度で配置されてもよい。
【００４１】
長手方向部材１０２の直径は、口腔内に収容することができ、一方、ケーシング２００、したがってスーパーストラクチャに対して依然として十分な強度および安定性をもたらすように、２〜５ｍｍの範囲内にあることが好ましい。長手方向部材の全長は１０〜１５ｍｍの範囲内にあり、したがって、主部材１０２ａに対するレバー部材１０２ｂの変位は、インプラント接続部材１０１に対する長手方向部材１０２の十分なクランピングをもたらすために、最も遠位端でサブミリメートルである。したがって、ケーシング２００のキャビティ２０１は、長手方向部材１０２を、摺動するようにして整然と受容するように適合される。
【００４２】
本発明について、特定の実施形態を参照して上述したが、本明細書に記載の特定の形態に限定されることは意図していない。それどころか、本発明は、添付の特許請求の範囲によってのみ限定され、上記の特定のもの以外の実施形態もまた、これらの添付の特許請求の範囲内で同様に可能である。
【００４３】
特許請求の範囲では、「ｃｏｍｐｒｉｓｅｓ／ｃｏｍｐｒｉｓｉｎｇ（備える、含む）」という用語は、他の要素またはステップの存在を排除しない。さらに、個々に列挙されているとしても、複数の手段、要素、または方法ステップは、たとえば単一のユニットまたはプロセッサによって実施されてもよい。さらに、個々の特徴が異なる特許請求の範囲に含まれていることがあるが、これらは有利に組み合わせることが可能であり、異なる特許請求の範囲に含まれることは、特徴の組合せが実現可能でない、および／または有利でないことを暗示してはいない。さらに、単数形の指示対象は複数を排除しない。「ａ」「ａｎ」「第１」「第２」などの用語は、複数を排除しない。特許請求の範囲内の符号は、わかりやすくする例として与えられているにすぎず、決して特許請求の範囲を限定するものと解釈されないものとする。
【図１】
2014014682.tif 000003
【図２】
2014014682.tif 000004
【図３】
2014014682.tif 000005
【図４】
2014014682.tif 000006
【外国語明細書】
2014014682000001.pdf